(57)【要約】【課題】本発明は、ワイヤが接続されたコンタクトと、そのコンタクトが挿入されるコンタクト挿入孔を有するハウジングとを備えた電気コネクタに関し、コンタクトの寸法に比べ挿入開口近傍が広いコンタクト挿入孔を有する場合であっても、正規に挿入されたコンタクトについてはスムーズに挿入させるとともに上下逆にしたコンタクトについては確実に誤挿入を防止する。【解決手段】ハウジングのコンタクト挿入孔２１に塀部２１１と斜面２１２を設け、上下逆に誤挿入されたコンタクト１０は確実に塀部に突き当たらせる。またコンタクト１０には、角部１２と斜面１３を設けておき、正規に挿入されてきたコンタクトに対してはハウジングの斜面２１２によって角部１２が案内され、また、塀部２１１に対してはコンタクトの斜面１３によってその塀部への当接が回避されてその塀部によって斜面１３が案内される。【選択図】        図３
2006073271.tif 000002
【特許請求の範囲】
【請求項１】
ワイヤが接続されたコンタクトと、該コンタクトが挿入されるコンタクト挿入孔を有するハウジングとを備えた電気コネクタにおいて、
前記ハウジングが、前記コンタクト挿入孔内部に設けられた、コンタクト挿入方向に対し立設し上下を逆にしたコンタクトの誤挿入を防止する塀部と、該コンタクト挿入孔の、該塀部が設けられた壁面に対向する壁面であって該塀部よりも該コンタクト挿入孔の挿入開口寄りの位置に設けられた、上下を逆にして誤挿入されてきたコンタクトを前記塀部側に寄せる第１の斜面とを有し、
前記コンタクトが、該コンタクトの先端の一辺もしくは該コンタクトの先端近傍の一壁面に設けられた、該コンタクトが前記コンタクト挿入孔に上下逆にして誤挿入されてきたときに前記塀部に突き当たる当接部と、該一辺に対する対辺もしくは該一壁面に対する反対側の壁面に設けられた、該コンタクトが該コンタクト挿入孔に上下逆にして誤挿入されてきたときに前記第１の斜面に干渉して該第１の斜面から前記塀部に向かう力を受けるとともに、該コンタクトが正規に挿入されてきたときに前記塀部を乗り越える第２の斜面とを有することを特徴とする電気コネクタ。
【請求項２】
前記ハウジングが、前記コンタクト挿入孔の、前記塀部が設けられた側の壁面であって該塀部よりも該コンタクト挿入孔の挿入開口寄りの位置に設けられた、正規に挿入されてきたコンタクトの前記第２の斜面に干渉して、該コンタクトを、該コンタクト挿入孔の、該塀部に対向した壁面側に寄せる第３の斜面とを有することを特徴とする請求項１記載の電気コネクタ。
【請求項３】
前記当接部が、前記コンタクト先端の一辺またはこれを含む面に形成されていることを特徴とする請求項１記載の電気コネクタ。
【請求項４】
前記当接部が、前記コンタクト先端近傍の該コンタクトの挿入方向に正対する面を含む切欠き部に形成されていることを特徴とする請求項１記載の電気コネクタ。
【発明の詳細な説明】
【技術分野】
【０００１】
本発明は、ワイヤが接続されたコンタクトと、そのコンタクトが挿入されるコンタクト挿入孔（キャビティ）を有するハウジングとを備えた電気コネクタに関する。
【背景技術】
【０００２】
従来よりハウジングにコンタクト挿入孔（キャビティ）を設けておきそのコンタクト挿入孔にコンタクトを挿入することによって電気コネクタを組み立てる技術が知られている。
【０００３】
このような電気コネクタにおいて、丸型のコンタクトについてはハウジングへの装着の向きが問題になることは通常無いが、角型のコンタクトについては誤った向きのままハウジングに挿入されるとコネクタどうしの正しい嵌合が行なわれないなどの不都合が生じる場合があり、そのような電気コネクタには、コンタクトが誤った向き、特に上下逆向きのままコンタクト挿入孔に誤挿入されないよう対策が講じられているものがある。これらの対策はいずれも、端子が所定の向きである場合に限りハウジングへの挿入を許容するように組み合わされた凹凸部を端子側およびハウジング側に設けておくことを基本とするものである。
【０００４】
例えば、特許文献１には、ハウジングのコンタクト挿入孔内壁にコンタクト挿入方向に対し立設した塀部を設けるとともにコンタクトには上下逆向きに挿入されたときにその塀部に突き当たる突起部を設けておくことが提案されている。
【０００５】
また、特許文献２には、ハウジングのコンタクト挿入孔内に肉盛り部を設け、コンタクトには正規に挿入されたときに肉盛り部を避ける逃げ部を設けておき、上下逆向きに誤挿入されるときにはその肉盛り部に突き当たる構成としたコネクタが提案されている。また、この特許文献２に示されているコンタクトは、従来より誤挿入防止用として使われているスタビライザも示されている。
【特許文献１】特開平１０−１４４３７９号公報
【特許文献２】特開２００４−１０３３４９号公報
【発明の開示】
【発明が解決しようとする課題】
【０００６】
近年の益々の小型化、高密度化実装化の要請からコンタクトも小型化されてきており、外形寸法がそのコンタクトに接続されたワイヤの直径よりもさらに小さいコンタクトが要請されてきている。
【０００７】
ここで、コンタクト挿入完了後においてワイヤが配置されるコンタクト挿入孔の挿入開口近傍についてはワイヤの径に合わせて太径としておき、その挿入開口近傍よりも奥の、コンタクトのみが配置される部分についてはコンタクトの径に合わせた径とすることが考えられる。
【０００８】
しかしながら、この場合、ワイヤの直径よりも小型化されたコンタクトに対しては、コンタクト挿入孔が大きすぎるため、端子およびハウジングの凹凸部の組み合わせによって誤挿入を防止する従来の構造を挿入開口近傍に設けることが困難である。
また、端子とコンタクト挿入孔の内壁との間には隙間があるため、このような誤挿入防止構造では、コネクタの小型化に伴って凹凸部が小さくなると、端子に設けられた凸部がハウジング内の凹部を乗り越えて誤挿入を許してしまうことがある。このため、端子側の凸部前端の角部（エッジ部）をハウジング側の凹部に食い込ませて誤挿入を防止しようとすることも行われているが、当該凸部が小さくなると角部がハウジング内壁を容易に削ってしまうため誤挿入に気づかないこともある。
【０００９】
さらに、コンタクト挿入孔は挿入開口近傍よりもその奥の方が細径となっており、コンタクトがコンタクト挿入孔に正規に挿入されてきたときに挿入開口近傍の太径の部分とそれよりも奥の細径の部分との段差を如何にうまく乗り越えてスムーズに挿入できる構造とするかも問題となる。このような問題は、主として、断面が例えば０．２２〜０．５ｍｍ2程度のワイヤに接続される電気コネクタの場合に生じる問題である。
【００１０】
本発明は、上記事情に鑑み、コンタクトの寸法に比べ入口付近が広いコンタクト挿入孔を有する場合であっても、正規に挿入されたコンタクトについてはスムーズに挿入されるとともに誤った向き、特に上下逆にしたコンタクトについては確実に誤挿入防止が図られた電気コネクタを提供することを目的とする。
【課題を解決するための手段】
【００１１】
上記目的を達成する本発明の電気コネクタは、ワイヤが接続されたコンタクトと、そのコンタクトが挿入されるコンタクト挿入孔を有するハウジングとを備えた電気コネクタにおいて、
上記ハウジングが、コンタクト挿入孔内部に設けられた、コンタクト挿入方向に対し立設し上下を逆にしたコンタクトの誤挿入を防止する塀部と、コンタクト挿入孔の、その塀部が設けられた壁面に対向した壁面であってその塀部よりもコンタクト挿入孔の挿入開口寄りの位置に設けられた、上下を逆にして誤挿入されてきたコンタクトを上記塀部側に寄せる第１の斜面とを有し、
上記コンタクトが、そのコンタクトの先端の一辺、もしくはそのコンタクトの先端近傍の一壁面に設けられた、コンタクトがコンタクト挿入孔に上下逆にして誤挿入されてきたときにその塀部に突き当たる当接部と、その一辺に対する対辺もしくはその一壁面に対する反対側の壁面に設けられた、そのコンタクトがそのコンタクト挿入孔に上下逆にして誤挿入されてきたときに上記第１の斜面に干渉してその第１の斜面から上記塀部に向かう力を受けるとともに、そのコンタクトが正規に挿入されてきたときに上記塀部を乗り越える第２の斜面とを有することを特徴とする。
【００１２】
本発明の電気コネクタは、ハウジングのコンタクト挿入孔に上記塀部と上記第１の斜面が設けられており、またコンタクトに上記第２の斜面と上記当接部が設けられているため、コンタクトが上下逆に誤挿入されると、ハウジングの第１の斜面とコンタクトの第２の斜面との干渉によりコンタクト先端部の線状または面状の当接部が確実に塀部に突き当たり誤挿入が確実に防止される。また、正規に挿入されてきたコンタクトに対してはハウジングの第１の斜面によってコンタクトの当接部が案内され、ハウジングの上記塀部に対してはコンタクトの第２の斜面によってその塀部への当接が回避されてその塀部によって第２の斜面が案内される。このように、正規に挿入されてきたコンタクトは、さらに奥の正規の位置に向かって案内されスムーズな挿入が可能である。
【００１３】
ここで、本発明の電気コネクタにおいて、上記ハウジングが、コンタクト挿入孔の、上記塀部が設けられた側の壁面であってその塀部よりもコンタクト挿入孔の挿入開口寄りの位置に設けられた、正規に挿入されてきたコンタクトの上記第２の斜面に干渉して、そのコンタクトを、コンタクト挿入孔の、上記塀部に対向した壁面側に寄せる第３の斜面を有することが好ましい。
【００１４】
上記ハウジングが上記第３の斜面を備えると、コンタクトの第２の斜面がハウジングの塀部を一層容易に乗り越えることができ、例えばコンタクト挿入孔の挿入開口近傍の寸法とそれよりも奥の部分の寸法との間の寸法差が大きいコンタクト挿入孔の場合であっても、コンタクトのスムーズな挿入が確保される。
【００１５】
本発明の電気コネクタにおいて、上記当接部は、前記コンタクト先端の挿入方向に正対する面の一辺が塀部に突き当たる線状の部分としてもよく、上記一辺を含む面の一部であってハウジングの塀部に突き当たる面状の部分としてもよい。さらに、コンタクト先端近傍の、前記コンタクト先端の挿入方向に正対する面を含む切欠き面であって、その面においてハウジングの塀部に線状または面状に突き当たるように形成されてもよい。
【発明の効果】
【００１６】
以上、説明したように、本発明によれば、挿入開口近傍の寸法がコンタクトの寸法よりも大きいコンタクト挿入孔の場合であっても、上下逆のコンタクトの誤挿入が確実に防止されるとともに正規の挿入に対してはスムーズな案内が行なわれる。
【発明を実施するための最良の形態】
【００１７】
以下、本発明の実施の形態について説明する。
【００１８】
図１は、本発明の電気コネクタを構成するコンタクトを示す側面図（Ａ）および正面図（Ｂ）である。
【００１９】
このコンタクト１０は、その先端１１から雄型コンタクト（図示せず）を受け入れる雌型コンタクトである。このコンタクト１０の後部にはワイヤの先端部が接続されるワイヤ接続部１６が設けられている。
【００２０】
また、このコンタクト１０の先端１１の一辺には上下逆にした誤挿入のときにハウジング内の塀部（後述する）に突き当たる角部１２が設けられており、その先端部１１の、その角部１２が設けられた一辺の対辺には、斜面１３（本発明にいう第２の斜面に相当する）が設けられている。さらに、このコンタクト１０には、ハウジング内に正規に正しい位置まで挿入された後のハウジングからの抜け止め用の第１の係止部１４と第２の係止部１５が設けられている。
【００２１】
このコンタクト１０の寸法は、一例として、高さＨ，幅Ｗ，長さＬが、それぞれ１．１ｍｍ，１．０ｍｍ，７．８ｍｍである。
【００２２】
尚、ここでは、図１に示すコンタクトを説明するにあたり、後述する第２実施形態についても念頭において第２の係止部１５についても説明したが、この第２の係止部１５は、以下について説明する第１実施形態については作用していない部分である。
【００２３】
図２，図３，図４は、本発明の第１実施形態の電気コネクタの各断面図である。
【００２４】
ここで、図３，図４は、それぞれ、図２に示す各矢印Ａ−Ａ，Ｂ−Ｂでの断面を示す図、図２は、図３に示す矢印Ｃ−Ｃでの断面を示す図である。
【００２５】
これら図２〜図４に示す断面図には、ハウジングと、そのハウジング内に途中まで挿入されているコンタクトが示されている。図２〜図４に示すコンタクト１０は、図１に示すコンタクト１０と同一形状のものである。
【００２６】
この図２〜図４における（ａ）〜（ｆ）は、同じ符号ごとに互いに対応した状態を示しており、（ａ）は、コンタクト１０が上下逆向きに途中まで誤挿入された状態、（ｂ）は、上下逆向きのコンタクト１０であって、（ａ）よりも少し先まで誤挿入された状態、（ｃ）は、正規の向きのコンタクト１０が途中まで挿入された状態、（ｄ）は、正規の向きのコンタクト１０が、少し傾いて途中まで挿入された状態、（ｅ）は上下逆向きのコンタクトが、少し斜め上向きに途中まで挿入された状態を示しており、また（ｆ）は、コンタクトが挿入されていない、コンタクト挿入孔のみを示している。
【００２７】
このハウジング２０は、図２〜図４には縦一列分しか示されていないが、二次元的に配列された多数のコンタクト挿入孔２１を有する。
【００２８】
また、図５〜図７は、図２〜図４に示す電気コネクタを構成するハウジングのコンタクト挿入孔の断面図である。
【００２９】
ここで、図５，図６には、ハウジングの水平断面が示されており、図７には垂直断面が示されている。また、図５，図７では、コンタクト挿入孔２１の挿入開口２１ａが左下向きに示されており図６では挿入開口２１ａが右上向きに示されている。
【００３０】
図３（ｆ），図４（ｆ）に符号を付したように、コンタクト挿入孔２１は、図３，図４の左側に挿入開口２１ａを有し、コンタクト１０はその挿入開口２１ａから挿入される。また、このコンタクト挿入孔２１の挿入開口２１ａの近傍の部分２１ｂはコンタクト１０が正規の位置まで挿入されたときにそのコンタクト１０に接続されたワイヤ（図示せず）が配置される部分であり、そのワイヤの径に合わせて大きな寸法Ｈ１を有している。また、それよりも奥の部分２１ｃは、コンタクト１０のみが配置される部分であり、挿入開口２１ａの近傍の部分よりも小さい寸法Ｈ２を有している。
【００３１】
このンタクト挿入孔２１には、塀部２１１、斜面２１２、もう１つの斜面２１３、および係止部（ランス）２１４を有する。
【００３２】
塀部２１１は、コンタクト１０の挿入方向に対し立設しストッパとして機能する面形状を有しており、上下を逆にしたコンタクト１０の誤挿入を防止するためのものである。
【００３３】
また、斜面２１２は、コンタクト挿入孔２１の、塀部２１１が設けられた壁面に対向した壁面であって、塀部２１１よりもそのコンタクト挿入孔２１の挿入開口２１ａ寄りの位置に設けられている。この斜面２１２は本発明にいう第１の斜面に相当するものである。
【００３４】
この斜面２１２には、上下を逆にして誤挿入されたコンタクト１０を塀部２１１側に寄せる役割りを担うとともに、正規に挿入されてきたコンタクト１０を案内する役割りを担っている。
【００３５】
また、コンタクト挿入孔２１内部のもう１つの斜面２１３は、コンタクト挿入孔２１の、塀部２１１が設けられた側の壁面であって、その塀部２１１よりもそのコンタクト挿入孔２１の挿入開口２１ａ寄りの位置に設けられている。この斜面２１３は、本発明にいう第３の斜面に相当するものである。
【００３６】
この斜面２１３は、正規に挿入されてきたコンタクト１０の斜面１３（図１参照）に干渉して、そのコンタクト１０を、そのコンタクト挿入孔２２の、塀部２１１が設けられた壁面に対向した壁面側に寄せる作用を有する。
【００３７】
図３（ａ），図４（ａ）は、上下逆向きのコンタクト１０が誤挿入されてきて、コンタクト１０の斜面１３がコンタクト挿入孔２１の斜面２１２に干渉した状態を示している。上下逆向きのコンタクト１０が図３（ａ），図４（ａ）に示す位置まで誤挿入されると、コンタクト１０の斜面１３と、ハウジング２０のコンタクト挿入孔２１内の斜面２１２とが干渉し、その結果コンタクト１０は、斜面１３に対向する一辺（の角部）が塀部２１１に突き当たるように、挿入方向とは直角方向の力を受けることになる。
【００３８】
図３（ｂ），図４（ｂ）は、上下逆向きのコンタクト１０が誤挿入されてきて、コンタクト１０の角部１２がコンタクト挿入孔２１の塀部２１１に突き当たった状態を示している。
【００３９】
図３（ａ），図４（ａ）に示すようにコンタクト１０の斜面１３とコンタクト挿入孔２１内の斜面２１２が干渉してコンタクト１０が塀部２１１側に寄せられる結果、コンタクト１０の角部１２がコンタクト挿入孔２１内の塀部２１１に確実に突き当たり、したがって誤嵌合が確実に防止される。
【００４０】
図３（ｃ），図４（ｃ）は、正規の向きのコンタクト１０が挿入されてきて、そのコンタクト１０の斜面１３がコンタクト挿入孔２１内の塀部２１１を乗り越えようとしている状態を示している。
【００４１】
コンタクト１０の斜面１３は、正規の向きで挿入されたときは、図３（ｃ），図４（ｃ）に示すように塀部２１１を乗り越えることができ、したがって斜面１３が塀部２１１に案内されながらコンタクト１０がさらに奥に挿入される。
【００４２】
ここで、このコンタクト１０の斜面１３は、塀部２１１を乗り越えるより前にコンタクト挿入孔２１内のもう１つの斜面２１３と干渉し、その斜面２１３により、コンタクト１０が塀部２１１から離れる方向に持ち上げられる。このため、コンタクト挿入孔２１の、ワイヤが配置される挿入開口２１ａの近傍部分２１ｂの寸法Ｈ１とコンタクト１０が配置される奥の部分２１ｃの寸法Ｈ２が大きく隔たっていても、コンタクト１０が塀部２１１を確実に乗り越えることができる。
【００４３】
図３（ｄ），図４（ｄ）は、コンタクト１０は正規の向きではあるが、図２（ｄ）に示すように少し傾いた状態のまま挿入されたときの状態を示している。
【００４４】
コンタクト１０は、この程度に傾いた状態で挿入されても塀部２１１を確実に乗り越えることができる。
【００４５】
図３（ｅ），図４（ｅ）は、上下逆向きのコンタクト１０がその先端を少し斜め上にして誤挿入されてきた状態を示している。
【００４６】
上下逆向きに誤挿入されると、上述したように、コンタクト１０の斜面１３がコンタクト挿入孔２１内の斜面２１２と干渉してコンタクト１０を塀部２１１側に寄せる力が働くため、図３（ｅ），図４（ｅ）に示すように斜めに挿入されても、コンタクト１０の角部１２が塀部２１１に確実に当接し誤嵌合が防止される。
【００４７】
尚、図３，図４は、コンタクト１０がコンタクト挿入孔２１の途中まで挿入されてきた状態を示しているが、最終位置まで挿入されると、コンタクト１０の第１の係止部１４の背後にハウジング２０の係止突起２１４が入り込み、最終位置まで一旦挿入されたコンタクト１０がそのコンタクト挿入孔２１から抜ける方向に移動するのが防止される。
【００４８】
図８〜図１０は、本発明の第２実施形態の電気コネクタの、コンタクトが途中まで挿入された状態を示す断面図、図１１はその第２実施形態の電気コネクタの、コンタクトが最終位置まで挿入された状態を示す断面図である。これら図８〜図１１には、上下２段のコンタクト挿入孔が示されている。
【００４９】
ここで説明する第２実施形態の電気コネクタでは、上述した第１実施形態の電気コネクタで使われているコンタクトと同一のコンタクト（図１参照）が使われている。
【００５０】
また、この第２実施形態の電気コネクタは、ハウジングに、二次係止部材（レテーナ）２３と、その二次係止部材２３が嵌入する嵌入穴２４が設けられている。図８〜図１１には、二次係止部材２３が嵌入穴２４に嵌入される前の仮係止状態が示されている。この第２実施形態の電気コネクタを構成するハウジングは、これら二次係止部材２３と嵌入穴２４以外は前述した第１実施形態の電気コネクタを構成するハウジングと同一である。
【００５１】
ここでは、第１実施形態の電気コネクタと共通する要素についての重複説明は省略する。
【００５２】
図８（Ａ），（Ｂ）は、図３（ａ），図４（ａ）に対応しており、上下逆向きのコンタクトが途中まで誤挿入されてきて、そのコンタクトの斜面１３（図１参照）がハウジングのコンタクト挿入孔２１内の斜面２１２に干渉している状態を示している。
【００５３】
図９（Ａ），（Ｂ）は、図３（ｂ），図４（ｂ）に対応しており、上下逆向きのコンタクト１０の角部１２がコンタクト挿入孔２１内の塀部２１１に突き当たっている状態を示している。
【００５４】
さらに、図１０（Ａ），（Ｂ）は、図３（ａ），図４（ａ）に対応しており、正規の向きのコンタクト１０の斜面１３が塀部２１１を乗り越えようとしている位置まで挿入された状態を示している。
【００５５】
図１１（Ａ），（Ｂ）は、図１０（Ａ），（Ｂ）の状態からコンタクト１０がさらに奥に挿入され、コンタクト最終挿入位置まで達した状態を示している。
【００５６】
正規の向きのコンタクト１０がコンタクト挿入孔２１の最終挿入位置まで挿入されると、そのコンタクト１０の第１の係止部１４の背後にハウジング２０の係止部２１４が入り込んでコンタクトの抜けが防止される。本実施形態では、この係止部２１４が一次係止部材として作用する。このさらに、二次係止部材２３が、図１１に示す嵌入前の状態から嵌入穴２４内に嵌入されると、コンタクト１０の第２の係止部１５の背後に、二次係止部材２３の係止部２３１が嵌入して本係止状態となり、ここでもコンタクト１０の抜けが防止される。
【００５７】
この第２実施形態に示すように、本発明は、二次係止部材を備えた電気コネクタについても同様に適用可能である。
【００５８】
図１２は、本発明の第３実施形態の電気コネクタの、コンタクトが上下逆向きに途中まで挿入された状態を示す断面図であり、図１１（Ａ），（Ｂ）は、上述した第２実施形態における図９（Ａ），（Ｂ）に相当する図である。
【００５９】
また、図１３は、図１２（Ａ）に示した円Ｃの内部を拡大して示す部分断面図である。
【００６０】
図１２，図１３において、前述した第１実施形態および第２実施形態における各構成要素に対応する構成要素には、分かり易さのため、多少の形状の相違等があっても、これまでの各図において付した符号と同一の符号を付して示す。
【００６１】
図１２，図１３に示す第３実施形態におけるコンタクト１０は、先端が棒状に形成された雄型コンタクトである。この雄型のコンタクト１０の先端近傍の一壁面には、コンタクト１０の挿入方向に対し立設した壁１７ａを有する切欠き１７が形成されている。この切欠き１７の壁１７ａは、第１実施形態および第２実施形態のコンタクトにおける角部１２（図１，図３等参照）に相当するものであり、上下逆に誤挿入されてきたときにハウジング２０の塀部２１１に突き当たってそれ以上奥には誤挿入されないようにする役割りを担っている。
【００６２】
また、図１２，図１３に示すコンタクト１０の、切欠き１７が設けられた壁面に対する反対側の壁面に、斜面１３が形成されている。この斜面１３は、第１実施形態および第２実施形態のコンタクトにおける斜面１３に相当するものであり、図１２，図１３に示すコンタクト１０の斜面１３は、ハウジング２０の斜面２１２と干渉し、コンタクト１０の切欠き１７の壁１７ａが塀部２１１に突き当たるように、ハウジング２０から挿入方向とは直角方向に力を受ける役割りを担っている。
【００６３】
上下逆向きではなく、正規の向きに挿入されてきたときの、切欠き１７の壁１７ａおよび斜面１３の役割りも、前述の第１実施形態および第２実施形態における角部１２および斜面１３の役割りとそれぞれ同一であり、重複説明は省略する。
【００６４】
図１２に示すハウジング２０についても、コンタクト１０が雄型であることに対応して形状が異なっているが特徴的な部分、すなわち、塀部２１１、斜面２１２，２１３、係止部２１４および二次係止部材２３の役割りは、前述の第２実施形態と同一であり、これも重複説明は省略する。
【００６５】
このように、本発明は雌型コンタクトを備えた電気コネクタだけでなく、雄型コンタクトを採用した電気コネクタについても同様に適用可能である。
【００６６】
尚、これまで説明してきた実施形態では、コンタクト１０の斜面１３やハウジング２０の斜面２１２，２１３は、平面的な斜面（テーパ面）として示されており、典型的にはテーパ面であってもよいが、必ずしもテーパ面である必要はなく、例えば円弧状の曲面（Ｒ面）や、円弧状の曲面とテーパ面との組合せ等であってもよく、ここでは、それらの態様を含めて斜面と称している。
【図面の簡単な説明】
【００６７】
【図１】本発明の電気コネクタを構成するコンタクトを示す側面図（Ａ）および正面図（Ｂ）である。
【図２】本発明の第１実施形態の電気コネクタの断面図である。
【図３】本発明の第１実施形態の電気コネクタの断面図である。
【図４】本発明の第１実施形態の電気コネクタの断面図である。
【図５】図２〜図４に示す電気コネクタを構成するハウジングのコンタクト挿入孔の断面図である。
【図６】図２〜図４に示す電気コネクタを構成するハウジングのコンタクト挿入孔の断面図である。
【図７】図２〜図４に示す電気コネクタを構成するハウジングのコンタクト挿入孔の断面図である。
【図８】本発明の第２実施形態の電気コネクタの、コンタクトが途中まで挿入された状態を示す断面図である。
【図９】本発明の第２実施形態の電気コネクタの、コンタクトが途中まで挿入された状態を示す断面図である。
【図１０】本発明の第２実施形態の電気コネクタの、コンタクトが途中まで挿入された状態を示す断面図である。
【図１１】第２実施形態の電気コネクタの、コンタクトが最終位置まで挿入された状態を示す断面図である。
【図１２】本発明の第３実施形態の電気コネクタの、コンタクトが上下逆向きに途中まで挿入された状態を示す断面図である。
【図１３】図１１（Ａ）に示した円Ｃの内部を拡大して示す部分断面図である。
【符号の説明】
【００６８】
１０    コンタクト
１１    先端
１２    角部
１３    斜面
１４    第１の係止部
１５    第２の係止部
１６    ワイヤ接続部
１７    切欠き
１７ａ    壁
２０    係止部
２１    コンタクト挿入孔
２１ａ    挿入開口
２１ｂ    近傍の部分
２１ｃ    奥の部分
２１１    塀部
２１２    斜面
２１３    斜面
２１４    係止部
２３    二次係止部材
２３１    係止部
２４    嵌入穴
【図１】
2006073271.tif 000003
【図２】
2006073271.tif 000004
【図３】
2006073271.tif 000005
【図４】
2006073271.tif 000006
【図５】
2006073271.tif 000007
【図６】
2006073271.tif 000008
【図７】
2006073271.tif 000009
【図８】
2006073271.tif 000010
【図９】
2006073271.tif 000011
【図１０】
2006073271.tif 000012
【図１１】
2006073271.tif 000013
【図１２】
2006073271.tif 000014
【図１３】
2006073271.tif 000015